【事件の表示】
　特願２００２−　７１３２４「データ処理装置」拒絶査定不服審判事件〔平成１５年　９月２６日出願公開、特開２００３−２７２１４４〕について、次のとおり審決する。
【結　論】
　本件審判の請求は、成り立たない。
【理　由】
１．手続の経緯
　
　本件の審判請求に係る特許出願（以下「本願」という。）は、平成１４年３月１５日を出願日とする出願であって、平成１８年１１月１５日付け拒絶理由の通知に応答して平成１９年１月１７日付けで手続補正がなされたが、平成１９年２月５日付けで拒絶査定がなされ、これに対し、平成１９年３月７日に拒絶査定不服審判が請求されたものである。
　
２．本願発明
　　
　本願の請求項１〜７に係る発明は、平成１９年１月１７日付け手続補正により補正された明細書の特許請求の範囲の請求項１〜７に記載された事項により特定されるとおりのものと認められるところ、請求項１に係る発明（以下「本願発明」という。）は、次のとおりのものである。
　
「【請求項１】　ＣＤ及びＤＶＤに対するデータの記録動作を制御するデータ処理装置において、
　ＣＤから読み出されるＣＤフォーマットに対応した位置情報に基づいて第１のタイミング信号を生成する第１のタイミング発生回路と、
　ＤＶＤから読み出されるＤＶＤフォーマットに対応した位置情報に基づいて第２のタイミング信号を生成する第２のタイミング発生回路と、
　前記第１のタイミング信号に従い、記録データに対して第１の変調処理を施して第１の変調データを出力する第１の変調回路と、
　前記第２のタイミング信号に従い、記録データに対して第２の変調処理を施して第２の変調データを出力する第２の変調回路と、
　前記第１の変調データに基づいてＣＤにデータの書き込みを行う書き込み信号を生成し、前記第２の変調データに基づいてＤＶＤにデータの書き込みを行う書き込み信号を生成するライトストラテジ回路と、を備え、
　前記ライトストラテジ回路は、第１、又は、第２の変調回路で生成される変調データを受けて前記書き込み信号を生成することを特徴とするデータ処理装置。」　
　
３．引用例
　
　原査定の拒絶の理由に引用された特開２００２−８３０１号公報（平成１４年１月１１日公開、以下「引用例１」という。）には、複数の種類のディスクに対する記録が可能な記録装置に関して、図面と共に、以下の記載がある。（なお、下線は、当審で付与した。）
　
（１）「【０００１】
【発明の属する技術分野】
本発明は
複数の種類のディスクに対する記録が可能な記録装置に係わる
　
（２）「【０００７】
【課題を解決するための手段】本発明の課題を達成するために以下のように構成する。
【０００８】発射する光の波長が７００ｎｍ以上である第一のレーザと、発射する光の波長が７００ｎｍ未満である第二のレーザと、レーザから発射される光をディスクに集光する対物レンズと、レーザからディスクに照射された光の反射光を検出する光検出器とを有するピックアップを設ける。ここで
第一のレーザは、例えば、ＣＤ−ＲやＣＤ−ＲＷのよなＣＤ系の記録可能なディスク等に対して情報を記録するのに適したレーザであり、第二のレーザは、例えば、ＤＶＤ−ＲＡＭのようなＤＶＤ系のディスク等に対して情報を記録するのに適したレーザを用いる
【０００９】そして、さらに、
第一のレーザによる情報の記録に対応した第一のエンコーダ及び第一のレーザドライバと、第二のレーザによる情報の記録に対応した第二のエンコーダ及び第二のレーザドライバとを設け、ディスク判別手段の判別結果に応じて、第一のエンコーダ及び第一のレーザドライバと、第二のエンコーダ及び第二のレーザドライバを切り替えることにより、複数種類のディスクに対し情報を記録する
　
（３）「【００１７】Wobble信号DはWobble信号処理回路２２に入力し、ディスクの種類に応じてディスクの位置情報等を抽出やディスクの回転制御に使用するWobble同期信号Eを抽出する。」
　
（４）「【００１９】読み出されたデータに同期した信号と前記Wobble同期信号Eを選択回路２３に入力し、再生時は読み出されたデータに同期した信号　記録時はWobble同期信号Eを基準信号と比較してディスクを回転させるスピンドルモータ２の制御信号を生成する。該出力をドライバ２７に入力してスピンドルモータ２の回転制御を行う。
【００２０】
データ記録時はインターフェース１５から入力されたデータをディスクの種類に応じて第１のエンコーダ１３及び第２のエンコーダ１４にて必要なエンコード処理を行い、該出力を選択回路１１に入力する。後に述べるディスク種類判別回路１８の出力により選択された選択回路１１出力を前記レーザドライバ９に入力してレーザの光量強度を変える事によりディスク１に記録を行う
　
　上記摘示事項及び図面の記載を参酌すると、引用例１には、次の発明が記載されているものと認める。
　
「ＣＤ及びＤＶＤに対してデータを記録する記録装置において、
　入力されたデータをディスクの種類に応じてエンコード処理を行う第１のエンコーダ及び第２のエンコーダと、
　第１のエンコーダ及び第２のエンコーダの出力を選択する選択回路と、
　選択された出力をレーザドライバに入力してレーザの光量強度を変えて記録を行う記録装置。」
　
　同じく、拒絶査定時に提示された特開２００１−４３５３１号公報（平成１３年２月１６日公開、以下「引用例２」という。）には、図面と共に、以下の記載がある。（なお、下線は、当審で付与した。）
　
（５）「【００１４】まず最初に、この光ディスク装置における記録動作について説明する。記録データは、ホスト４から情報記録媒体１上の記録位置情報（アドレス情報）を付加された状態で記録コマンドが発光され、演算・制御回路６内のバッファメモリ（図示せず）内に蓄積された後、時系列的に変調回路７に送られる。そして、
変調回路７において、記録データはランレングスリミティッド（ＲＬＬ）コード、例えば（１、７）ＲＬＬコード、（２、７）ＲＬＬコード、ＤＶＤ（Digital Versatile Disk）に使われている（２、１０）ＲＬＬコードあるいはＣＤフォーマットに対応したＥＦＭ（eight-fourteen modulation）コードに対応する符号列に変換され
　
（６）【００２２】
Write Strategy制御部１０４は、入力されるＮＲＺ信号に応じて記録パルスを生成し、そのパルスの時間的位置やパルス幅をアダプティブに可変制御する記録ストラテジ制御を実現する
　
４．対比
　
　そこで、本願発明と引用発明とを対比する。
（１）引用発明と本願発明の「ＣＤ」及び「ＤＶＤ」は、共通する。また、引用発明の「データ」は、本願発明の「データ」及び「記録データ」に相当する。通常、記録装置において、記録は制御装置によって制御されるのが一般的であるから、引用発明は、本願発明の「記録動作を制御する」に相当する構成を備えている。
（２）引用発明の「エンコーダ」が「変調回路」を含むことは明らかであるから、引用発明の「入力されたデータをディスクの種類に応じてエンコード処理を行う第１のエンコーダ及び第２のエンコーダ」は、本願発明の「記録データに対して第１の変調処理を施して第１の変調データを出力する第１の変調回路」及び「記録データに対して第２の変調処理を施して第２の変調データを出力する第２の変調回路」に相当する。
（３）引用発明の「記録装置」は、「エンコード処理を行う」ものであるから、本願発明の「データ処理装置」と共通する。
　　
　そうすると、本願発明と引用発明との＜一致点＞＜相違点＞は次のとおりである。
　
＜一致点＞
　
「ＣＤ及びＤＶＤに対するデータの記録動作を制御するデータ処理装置において、
　記録データに対して第１の変調処理を施して第１の変調データを出力する第１の変調回路と、　
　記録データに対して第２の変調処理を施して第２の変調データを出力する第２の変調回路とを備えるデータ処理装置。」の点。
　
＜相違点＞
（ａ）本願発明は「ＣＤから読み出されるＣＤフォーマットに対応した位置情報に基づいて第１のタイミング信号を生成する第１のタイミング発生回路」及び「ＤＶＤから読み出されるＤＶＤフォーマットに対応した位置情報に基づいて第２のタイミング信号を生成する第２のタイミング発生回路」を備えているのに対し、引用発明はそのようなタイミング発生回路を備えていない点。
　
（ｂ）「第１の変調回路」及び「第２の変調回路」について、本願発明は、それぞれ「第１のタイミング信号に従い」及び「第２のタイミング信号に従い」記録データに対して変調処理を施すのに対し、引用発明は、そのようになされていない点。
　
（ｃ）本願発明は、「前記第１の変調データに基づいてＣＤにデータの書き込みを行う書き込み信号を生成し、前記第２の変調データに基づいてＤＶＤにデータの書き込みを行う書き込み信号を生成するライトストラテジ回路」を備え、「前記ライトストラテジ回路は、第１、又は、第２の変調回路で生成される変調データを受けて前記書き込み信号を生成する」ものであるのに対し、引用発明は、ライトストラテジ回路を具備していない点。
５．判断
　
　そこで、上記各相違点について検討する。
　
（相違点ａ、ｂについて）
　ＣＤ及びＤＶＤには、それぞれに対応した形態で絶対位置情報が記録されており、記録時、絶対位置情報を検出し、該絶対位置情報の検出タイミングに基づいてデータの記録を制御することは、周知（例えば、特開２００２−５０１０９号公報の段落【０００２】【従来の技術】、特開２００１−１７６０６９号公報の段落【０００２】【従来の技術】〜【０００５】、特開２００１−３１２８２３号公報の段落【０００２】【従来技術】〜【０００８】等参照）であるから、引用発明においても、CD及びDVDの絶対位置情報の検出タイミングに基づいてデータの記録を制御すること、すなわち、相違点（ａ）の、「ＣＤから読み出されるＣＤフォーマットに対応した位置情報に基づいて第１のタイミング信号を生成する第１のタイミング発生回路」及び「ＤＶＤから読み出されるＤＶＤフォーマットに対応した位置情報に基づいて第２のタイミング信号を生成する第２のタイミング発生回路」を備え、相違点（ｂ）の、「第１のタイミング信号に従い」及び「第２のタイミング信号に従い、」記録データに対して変調処理を施す構成とすることは当業者が適宜容易に想到できるものである。
　
（相違点ｃについて）
　光ディスク装置において、ライトストラテジ回路を設けることは引用例を挙げるまでもなく周知である。
　引用発明及び本願発明とレーザドライバ回路に関する同一の技術分野に属する引用例２には、ＣＤとＤＶＤとで変調処理を異ならせた変調データを生成し、生成した変調データにライトストラテジ制御を行うものが記載されている。
　そうすると、ＣＤ及びＤＶＤに対してそれぞれ異なるエンコーダ処理を行う引用発明において、周知のライトストラテジ回路を付加するに際し、引用例２に記載された上記技術を参酌して、ＣＤ及びＤＶＤに対してそれぞれ異なるエンコーダの出力をライトストラテジ制御すること、すなわち相違点（ｃ）の、「前記第１の変調データに基づいてＣＤにデータの書き込みを行う書き込み信号を生成し、前記第２の変調データに基づいてＤＶＤにデータの書き込みを行う書き込み信号を生成するライトストラテジ回路」を備え、「前記ライトストラテジ回路は、第１、又は、第２の変調回路で生成される変調データを受けて前記書き込み信号を生成する」構成とすることは当業者が容易に想到できるものである。
　　　
　なお、審判請求人は、審判請求の理由において、「引用文献４（上記引用例２）には、変調回路７で生成された
単一のＮＲＺ信号
複数の種類のディスクの信号処理についての記載がなく
　しかしながら、上記相違点（ｃ）で検討したように、引用例２（引用文献４）には、変調回路７において、記録データはＤＶＤに使われている（２、１０）ＲＬＬコードあるいはＣＤフォーマットに対応したＥＦＭコードに対応する符号列に変換され、パルス列（ＮＲＺ信号）に変換されると記載されており、変調回路７が複数の種類のディスク（ＣＤ及びＤＶＤ）の信号処理（（２、１０）ＲＬＬコード又はＥＦＭコード）を行っていることは明らかであるから、上記審判請求人の主張は採用できない。
　
　そして、上記各相違点を総合的に判断しても、本願発明が奏する効果は引用例１，２及び周知技術から、当業者が十分に予測できたものであって、格別なものとはいえない。
　
６．むすび
　
　以上のとおり、本願の請求項１に係る発明は、引用例１，２に記載された発明及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。